(57)【特許請求の範囲】
【請求項１】
ノード装置から電源回線と供給回線との２つの回線を介して電源が供給される光回線終端装置であって、
前記ノード装置のポートに挿入される、第１の接続端子と前記第１の接続端子よりも前記挿入方向の長さが短い第２の接続端子とを有するコネクタと、
前記第１の接続端子を介して前記ノード装置の前記電源回線から電源を受電する電源供給部と、
前記第２の接続端子を介して前記ノード装置の前記供給回線から電源を受電し、前記電源の電圧値を取得することで電源が切断されたことを検出した場合に、前記第１の接続端子を介して供給される電源を用いて前記電源が切断されたことを示す制御信号を出力する検出部と、
を備える光回線終端装置。
【請求項２】
前記ノード装置は、
外部電源の電圧を所定の直流電圧に変換する電力変換部と、
前記電力変換部に接続された前記供給回線と、
前記電力変換部に接続された前記電源回線と、
を備える請求項１に記載の光回線終端装置。
【請求項３】
前記検出部は、前記第２の接続端子の電圧値が所定の閾値以下である場合、前記電源が切断されたことを検出し、
前記制御信号を受信すると、電源切断通知情報をセンタ側の光回線終端装置に送信する通信処理部をさらに備える請求項１又は請求項２に記載の光回線終端装置。
【発明の詳細な説明】
【技術分野】
【０００１】
本発明は、光回線終端装置に関する。
【背景技術】
【０００２】
近年、電源供給が切断された場合にＤｙｉｎｇＧａｓｐ処理を行うＳＦＰ（Small Form factor Pluggable）型の光回線終端装置が提案されている（特許文献１）。ＳＦＰ型の光回線終端装置は、光ノード装置のポートに挿入することで、光ノード装置から電源を供給される。このため、ＳＦＰ型の光回線終端装置は、卓上型と比べて、電源アダプタや光回線終端装置の設置スペースを削減できる。
【０００３】
図９は、従来の光ノード装置８００及びＳＦＰ型の光回線終端装置９００の構成を示すブロック図である。
光ノード装置８００は、光回線終端装置９００を挿入できるＭＳＰポートを有する。光ノード装置８００は、ダイオード８１１、コンデンサ８１２、ＤＣ／ＤＣコンバータ８１３及び検出部８１４を備える。
【０００４】
光ノード装置８００は、電源変換アダプタ８０１でＡＣ１００ＶからＤＣ５Ｖに変換された直流電源が供給される。電源変換アダプタ８０２から供給されたＤＣ５Ｖの電源は、ダイオード８１１を経由してＤＣ／ＤＣコンバータ８１３に入力される。また、コンデンサ８１２には静電容量Ｃに比例する大きさの電荷が蓄積される。ＤＣ／ＤＣコンバータ８１３は、ＤＣ５Ｖの電源をＤＣ３．３Ｖに変換する。ＤＣ／ＤＣコンバータ８１３は、変換したＤＣ３．３Ｖを光回線終端装置９００に出力する。
【０００５】
光ノード装置８００は、電源変換アダプタ８０１から供給される電源が切断されると、電源の切断を検出部８１４で検出する。そして、光ノード装置８００は、電源の切断を光回線終端装置９００に通知する。また、コンデンサ８１２に蓄積された電荷は、ダイオード８１１により光回線終端装置９００に供給される。
【０００６】
光回線終端装置９００は、シリアル／パラレル変換部９０１、通信処理部９０２及び光トランシーバ９０３を備える。光回線終端装置９００は、ＭＳＰポートに挿入されることで、ＤＣ／ＤＣコンバータ８１３から電源（ＤＣ３．３Ｖ）が供給される。
【０００７】
電源変換アダプタ８０１から供給される電源が切断されると、通信処理部９０２は、光ノード装置８００から電源切断の通知を受ける。また、光回線終端装置９００は、ＤＣ／ＤＣコンバータ８１３から所定の期間だけ電源（ＤＣ３．３Ｖ）が供給される。よって、光回線終端装置９００は、この所定の時間に電源切断の通知に基づいてＤｙｉｎｇＧａｓｐ信号を通信処理部９０２及び光トランシーバ９０３を介してＯＮＵ９１０に出力する。
【先行技術文献】
【特許文献】
【０００８】
【特許文献１】特開２０１０−２５２１９２号公報
【発明の概要】
【発明が解決しようとする課題】
【０００９】
しかしながら、上述の光回線終端装置において、光回線終端装置がＭＳＡポートに対して半差しや抜去される等の接続不良により光ノード装置から供給される電源が切断された場合、その電源の切断を検知することができない。
【００１０】
本発明はこのような事情に鑑みてなされたもので、その目的は、接続不良による電源の切断を検知することができる光回線終端装置を提供することである。
【課題を解決するための手段】
【００１１】
本発明の一態様は、ノード装置から電源回線と供給回線との２つの回線を介して電源が供給される光回線終端装置であって、前記ノード装置のポートに挿入される、第１の接続端子と前記第１の接続端子よりも前記挿入方向の長さが短い第２の接続端子とを有するコネクタと、前記第１の接続端子を介して前記ノード装置の前記電源回線から電源を受電する電源供給部と、前記第２の接続端子を介して前記ノード装置の前記供給回線から電源を受電し、前記電源の電圧値を取得することで電源が切断されたことを検出した場合に、前記第１の接続端子を介して供給される電源を用いて前記電源が切断されたことを示す制御信号を出力する検出部と、を備える光回線終端装置である。
【００１２】
また、本発明の一態様は、上述の光回線終端装置であって、前記ノード装置は、外部電源の電圧を所定の直流電圧に変換する電力変換部と、前記電力変換部に接続された前記供給回線と、前記電力変換部に接続された前記電源回線と、を備える。
【００１３】
また、本発明の一態様は、上述の光回線終端装置であって、前記検出部は、前記第２の接続端子の電圧値が所定の閾値以下である場合、前記電源が切断されたことを検出し、前記制御信号を受信すると、電源切断通知情報をセンタ側の光回線終端装置に送信する通信処理部をさらに備える。
【発明の効果】
【００１４】
以上説明したように、本発明によれば、接続不良による電源の切断を検知することができる光回線終端装置を提供することができる。
【図面の簡単な説明】
【００１５】
【図１】第１の実施形態の光回線終端装置を用いたＰＯＮシステムの構成を示すブロック図である。
【図２】第１の実施形態のノード装置３０Ａ及びＯＮＵ２０Ａの外観構成の例を示す斜視図である。
【図３】第１の実施形態のノード装置３０Ａ及びＯＮＵ２０Ａのブロック図を示す図である。
【図４】第１の実施形態のＭＳＡコネクタ２１の概略構成図である。
【図５】第１の実施形態のＭＳＡコネクタ２１のピン１〜ピン２０の各々に割り付けられた信号の一例を説明する説明図である。
【図６】第１の実施形態の光回線終端装置２０Ａの動作を示すフローチャートである。
【図７】第２の実施形態のＭＳＡコネクタ２１０の概略構成図である。
【図８】第２の実施形態の回路基板２１１に形成された銅薄膜パターンの配置を示す図である。
【図９】従来の光ノード装置８００及びＳＦＰ型の光回線終端装置９００の構成を示すブロック図である。
【発明を実施するための形態】
【００１６】
以下に、実施形態における光回線終端装置を用いたＰＯＮシステムを、図面を用いて説明する。
【００１７】
（第１の実施形態）
以下、本発明の第１の実施形態における光回線終端装置について、図面を用いて説明する。図１は、本実施形態の光回線終端装置を用いたパッシブ光通信ネットワーク（ＰＯＮ：Passive Optical Network）システム１（以下、「ＰＯＮシステム」という。）の構成を示すブロック図である。
図１に示すように、ＰＯＮシステム１は、収容局側（センタ側）の光回線終端装置（ＯＬＴ：Optical Line Termination：加入者線端局装置）１０、複数のＯＮＵ（Optical Network Unit：加入者宅側光回線終端装置）２０（ＯＮＵ２０Ａ〜２０Ｃ）、複数のノード装置３０（ノード装置３０Ａ〜３０Ｃ）及び光スプリッタ４０を備える。なお、本実施形態においては、ＯＮＵ及びノード装置が３つである場合を説明するが、勿論この数に限られるものではない。
【００１８】
ＯＬＴ１０は、事業者サービスネットワークの上位装置（不図示）に接続されている。ＯＬＴ１０は、光ファイバを介して光スプリッタ４０に接続されている。
光スプリッタ４０は、ＯＬＴ１０からの光ファイバ５０を複数の光ファイバ６０Ａ〜６０Ｃに分岐する。光ファイバ６０Ａ〜６０Ｃは、それぞれＯＮＵ２０Ａ〜２０Ｃに接続されている。
【００１９】
ＯＮＵ２０Ａ〜２０Ｃは、それぞれノード装置３０Ａ〜３０Ｃに接続されている。ＯＮＵ２０は、ノード装置３０に活線挿抜可能なモジュール型の光回線終端装置である。活線挿抜可能なモジュール型とは、ＭＳＡ規格で規定されたものであり、例えばＳＦＰ（Small Form-factor Pluggable）型である。ＯＮＵ２０は、ノード装置３０に挿入されることで、ノード装置３０から電源が供給される。
【００２０】
図２は、ノード装置３０Ａ及びＯＮＵ２０Ａの外観構成の例を示す斜視図である。なお、ノード装置３０Ｂ及び３０Ｃは、図２に示すノード装置Ａの構成例と同様の構成を有している。また、ＯＮＵ２０Ｂ及びＯＮＵ２０Ｃの構成は、図２に示すＯＮＵ２０Ａの構成例と同様の構成を有している。
【００２１】
ノード装置３０Ａは、ＭＳＡポート３００、ＬＡＮポート３０１及び電源プラグ３０２を有する。ＭＳＡポート３００は、ＯＮＵ２０Ａを挿入するスロットである。ＭＳＡポート３００は、ＭＳＡ（Multi Source Agreement）規格対応のポートであり、例えばＳＦＰポートである。ＭＳＡポート３００は、複数の接続端子を有している。ＬＡＮポート３０１は、不図示の端末機器とＬＡＮケーブルを介して接続される。端末装置は、通信可能な装置であり、例えば、パーソナルコンピュータ、スマートフォン、携帯電話機、テレビ受像機、ゲーム装置などの装置である。電源プラグ３０２は、電源変換アダプタや商用電源等の外部電源が接続される。ＯＮＵ２０Ａは、ノード装置３０ＡのＭＳＡポート３００に挿入されることで、ノード装置３０Ａから電源が供給される。
【００２２】
図３は、ノード装置３０Ａ及びＯＮＵ２０Ａのブロック図を示す図である。なお、ノード装置３０Ｂ及び３０Ｃは、図３に示すノード装置Ａの構成例と同様の構成を有している。また、ＯＮＵ２０Ｂ及びＯＮＵ２０Ｃの構成は、図３に示すＯＮＵ２０Ａの構成例と同様の構成を有している。
ノード装置３０Ａは、電力変換部３１及び通信処理部３２を備える。
【００２３】
電力変換部３１は、外部電源から電源を受電する。本実施形態では、外部電源が電源変換アダプタである場合を説明する。電源変換アダプタ７０は、ＡＣ１００Ｖの電源を受電する。電源変換アダプタ７０は、受電したＡＣ１００Ｖを例えばＤＣ５Ｖの電圧（第１の直流電圧）に変換する。電源変換アダプタ７０は変換した電圧を電力変換部３１に出力する。
【００２４】
電力変換部３１は、電源変換アダプタ７０から受電した電源を自装置の使用電圧（第２の直流電圧）に変換する。電力変換部３１は、変換した電圧を供給回線を介してＭＳＡポート３００の接続端子３６に接続されている。また、電力変換部３１は、変換した電圧を電源回線を介してＭＳＡポート３００の接続端子３５に接続されている。
【００２５】
通信処理部３２は、ＭＳＡポート３００に接続されている。通信処理部３２は、ＭＳＡポート３００を介してＯＬＴ１０からのデータを受信する。通信処理部３２は、受信したデータに基づいて、自装置内の各部を制御する。
【００２６】
ＯＮＵ２０Ａは、ＭＳＡコネクタ２１、光トランシーバ部２２、通信処理部２３、シリアル／パラレル変換部２４、記憶部２５、電力監視部２６及び電源供給部２７を備える。
図４は、本実施形態におけるＭＳＡコネクタ２１の概略構成図である。図４に示すように、ＭＳＡコネクタ２１は、接続端子であるピン１〜ピン２０を有する。ピン１〜ピン２０は、ＭＳＡ規格に従って回路基板の上に所定の間隔で形成された銅薄膜パターンである。
図５は、ＭＳＡコネクタ２１のピン１〜ピン２０の各々に割り付けられた信号の一例を説明する説明図である。ピン１〜ピン２０は、基準電位（０Ｖ）に接続されるピン（以下、「基準電位接続ピン」という。）と信号を送受信するピン（以下、「信号接続ピン」という。）と電源が供給されるピン（以下、「電源接続ピン」という。）との大きく分けて３つに振り分けられる。
【００２７】
基準電位接続ピンは、ＶｅｅＴ及びＶｅｅＲに対応する長ピンであり、例えば、ピン１、ピン１０、ピン１１、ピン１４、ピン１７及びピン２０である。基準電位接続ピンにおいて、ＭＳＡコネクタ２１の挿入方向の銅薄膜パターンの長さ（以下、「パターン長」という。）は、３ｍｍ程度である。
【００２８】
信号接続ピンは、ピン２〜ピン９、ピン１２、ピン１３、ピン１８及びピン１９である。信号接続ピンは、通信処理部２３及びシリアル／パラレル変換部２４に接続される短ピンである。信号接続ピンのパターン長は、２．２ｍｍ程度である。
【００２９】
電源接続ピンは、ピン１５（第２の接続端子）及びピン１６（第１の接続端子）である。ピン１５は、電力監視部２６に接続されている。ピン１６は、電源供給部２７に接続されている。電源接続ピンは、ピン１５及びピン１６のピンの長さが互いに異なる中ピンである。
ピン１６のパターン長は、基準電位接続ピンより短く、かつ信号接続ピンより長い。例えば、ピン１６のパターン長は、２．７ｍｍである。ピン１５のパターン長は、ピン１６より短く、かつ信号接続ピンと同等以上である。ピン１５のパターン長がピン１６より短いのは、ＯＮＵ２０ＡがＭＳＡポート３００に対して半差しや抜去した場合に、ピン１６よりも早くピン１５に対する電源供給を切断するためである。
【００３０】
ＭＳＡコネクタ２１は、ノード装置３０Ａに設けられているＭＳＡポート３００に完全に挿入された状態（装着状態）で両者の端子が電気的に接続される。すなわち、ＭＳＡコネクタ２１がＭＳＡポートに挿入されることで、信号接続ピンは、通信処理部３２に電気的に接続される。また、基準電位接続ピンは、ノード装置３０Ａの基準電位に電気的に接続される。ピン１５は、供給回線に接続される。ピン１６は、電源回線に接続される。
【００３１】
光トランシーバ部２２は、ＯＬＴ１０に接続されている。光トランシーバ部２２は、Ｒｘ部とＴｘ部とを有する。Ｒｘ部は、ＯＬＴ１０から供給された光信号を電気信号に変換する。そして、Ｒｘ部は、変換した電気信号を通信処理部２３に出力する。Ｔｘ部は、通信処理部２３から電気信号を受信する。Ｔｘ部は、受信した電気信号を光信号に変換する。Ｔｘ部は、変換した電気信号をＯＬＴ１０に出力する。
【００３２】
通信処理部２３は、ＯＬＴ１０とノード装置３０Ａとの間で伝送されるデータ信号の終端処理を行う。また、通信処理部２３は、電力監視部２６から制御信号を受信する。通信処理部２３は、制御信号を受信すると、記憶部２５から電源切断通知情報を取得する。通信処理部２３は、この電源切断通知情報を光トランシーバ部２２のＴｘに出力する。電源切断通知情報は、電源が切断されたことを示す情報であり、例えばＤｙｉｎｇＧａｓｐである。例えば、通信処理部２３は、半導体チップ、演算処理装置（ＣＰＵ）、ロジック回路である。
【００３３】
シリアル／パラレル変換部２４は、シリアル信号とパラレル信号とを相互に変換する。シリアル／パラレル変換部２４は、通信処理部２３からのパラレル信号をシリアル信号に変換する。そして、シリアル／パラレル変換部２４は、変換したシリアル信号を信号接続ピンを介して通信処理部３２に出力する。また、シリアル／パラレル変換部２４は、通信処理部３２から信号接続ピンを介して受信したシリアル信号をパラレル信号に変換して通信処理部２３に出力する。
【００３４】
電力監視部２６は、ピン１５に接続されている。電力監視部２６には、ＭＳＡコネクタ２１がＭＳＡポートに挿入されると、ノード装置３０Ａの供給回線及びピン１５を介して電源が供給される。電力監視部２６には、ＭＳＡコネクタ２１がＭＳＡポート３００に対して半差しや抜去等の接続不良でピン１５と接続端子３６との接続が切断されると、ノード装置３０Ａから供給される電源が切断される。電力監視部２６は、ノード装置３０Ａから供給される電源が切断されたことを検出する。この際、ピン１６と接続端子３５との接続も同様に切断される。しかし、ピン１５のパターン長がピン１６よりも短いため、ピン１５に供給される電源の切断がピン１６より早い。すなわち、電力監視部２６は、電源供給部２７に供給される電源が切断される前に、電源の切断を検知することができる。供給される電源の切断を検知する方法は、予め設定された閾値を用いる方法がある。例えば、電力監視部２６は、ノード装置３０Ａから供給される電源の電圧値が所定の閾値以下になった場合、電源が切断されたと判定する。電力監視部２６は、電源の切断を検出すると、通信処理部２３に電源が切断されたことを示す制御信号を出力する。すなわち、電力監視部２６は、ピン１５（第２の接続端子）を介してノード装置３０Ａの供給回線から電源の電圧値を取得することで電源が切断されたことを検出し、電源が切断されたことを示す制御信号を出力する検出部である。
【００３５】
電源供給部２７は、ピン１６に接続されている。電源供給部２７には、ＭＳＡコネクタ２１がＭＳＡポートに挿入されると、ノード装置３０Ａの電源回線及びピン１６を介して電源が供給される。電源供給部２７は、ＯＮＵ２０Ａの各部に電源を供給する。電源供給部２７には、ＭＳＡコネクタ２１がＭＳＡポート３００に対して半差しや抜去等の接続不良でピン１６と接続端子３５との接続が切断されると、ノード装置３０Ａから供給される電源が切断される。
【００３６】
次に本実施形態の光回線終端装置２０Ａの動作について、フローチャートに基づいて説明する。図６は、本実施形態における光回線終端装置２０Ａの動作を示すフローチャートである。
【００３７】
ステップＳ１０１において、ＯＮＵ２０Ａは、ノード装置３０ＡのＭＳＡポートに挿入される。そして、電源変換アダプタ７０がＡＣ１００Ｖの電源に接続されると、電力変換部３１に電圧が供給される。電力変換部３１は、供給された電圧を所定の電圧に変換する。所定の電圧は、自装置で使用される電圧であり、例えば３．３Ｖである。電力監視部２６は、電力変換部３１から供給回線を介して電圧を取得する。また、電源供給部２７は、電力変換部３１から電源回線を介して電圧を取得する。電源供給部２７は、ノード装置３０Ａの各部に電源を供給する。
【００３８】
ステップＳ１０２において、電力監視部２６は、ノード装置３０Ａから供給される電源が切断されたか否かを判定する。例えば電力監視部２６は、ピン１５の電圧値が所定の閾値以下か否かを判定する。電力監視部２６は、ピン１５の電圧値が所定の閾値以下である場合（ステップＳ１０２：ＹＥＳ）、ステップＳ１０３に進む。一方、電力監視部２６は、ピン１５の電圧値が所定の閾値を上回る場合（ステップＳ１０２：ＮＯ）、電力変換部３１から供給回線を介して電圧を再度取得する。なお、本実施形態において、ノード装置３０Ａから供給される電源が切断される場合とは、ＭＳＡコネクタ２１がＭＳＡポート３００に対して半差しや抜去され、ピン１５と接続端子３６との接続が切断された場合である。
【００３９】
ステップＳ１０３において、ＭＳＡコネクタ２１がＭＳＡポート３００に対して半差しや抜去された場合、電力監視部２６は、電源供給の切断を検知する。その際、ピン１６は、ピン１５よりパターン長が長いため、ピン１６には電源が供給されている。すなわち、電源供給部２７は、電力監視部２６による電源断検知後の一定期間までノード装置３０Ａの各部に供給することができる。一定期間は、電力監視部２６による電源断検知後からピン１６と接続端子３５との接続が切断されるまでの間の時間である。電力監視部２６は、通信処理部２３に制御信号を出力する。
【００４０】
ステップＳ１０４において、通信処理部２３は、電源が切断されたことを上記一定期間内にＯＬＴ１０に通知する。すなわち、通信処理部２３は、電力監視部２６から制御信号を受信する。通信処理部２３は、制御信号を受信すると、記憶部２５から電源切断通知情報を取得する。通信処理部２３は、この電源切断通知情報を光トランシーバ部２２のＴｘ部に出力する。Ｔｘ部は、電源切断通知情報を光信号に変換する。Ｔｘ部は、光信号に変換した電源切断通知情報を光ファイバを介してＯＬＴ１０に出力する。
【００４１】
上述したように、本実施形態の光回線終端装置２０は、ＭＳＡコネクタ２１を介してノード装置３０の供給回線と電源回線との２系統から電源を受電する。すなわち、電源供給部２７は、ピン１６を介して電源回線から電源を光回線終端装置２０の各部に供給する。電力監視部２６は、ピン１６よりパターン長が短いピン１５を介して供給回線の電源を監視し、その電源の切断を検知する。これにより、電力監視部２６は、電源供給部２７に供給される電源が切断される前に、電源の切断を検知することができる。これより、光回線終端装置２０は、ＭＳＡコネクタ２１がＭＳＡポート３００に対して半差しや抜去された場合、電力監視部２６で電源断を検知してから一定期間内に電源が切断されたことをＯＬＴ１０に通知することができる。
【００４２】
（第２の実施形態）
以下、本発明の第２の実施形態における光回線終端装置（ＯＮＵ）について、図面を用いて説明する。第２の実施形態における光回線終端装置２００は、第１の実施形態で説明したピン１５の短ピン化を実際に使用されるＳＦＰ型のコネクタに適用した構成を有する。本実施形態の光回線終端装置２００は、第１実施形態のＭＳＡコネクタ２１がＭＳＡコネクタ２１０に置き換わっている構成である。なお、第１の実施形態と同じ構成には、同じ符号を付してその説明を省略する。
【００４３】
本実施形態における光回線終端装置２００は、ＭＳＡコネクタ２１０、光トランシーバ部２２、通信処理部２３、シリアル／パラレル変換部２４、記憶部２５、電力監視部２６及び電源供給部２７を備える。
図７は、本実施形態におけるＭＳＡコネクタ２１０の概略構成図である。ＭＳＡコネクタ２１０は、第１の実施形態で説明したピン１５の短ピン化をＳＦＰ型に適用した構成を有する。
【００４４】
図７に示すように、ＭＳＡコネクタ２１０は、複数の接続端子（ピン１〜ピン２０）及び回路基板２１１を有する。接続端子は、ＭＳＡ規格に従って回路基板２１１の上に所定の間隔で形成された銅薄膜パターンである。図８は、回路基板２１１に形成された銅薄膜パターンの配置図である。図８（Ａ）は、回路基板２１１の上面に形成された銅薄膜パターンである。図８（Ｂ）は、回路基板２１１の底面に形成された銅薄膜パターンである。図８に示すように、ピン１からピン１０の銅薄膜パターンは、回路基板２１１の底面に形成されている。ピン１１からピン２０の銅薄膜パターンは、回路基板２１１の上面に形成されている。そして、第１の実施形態と同様に、ピン１６のパターン長は、基準電位接続ピンより短く、かつ信号接続ピンより長い。ピン１５のパターン長は、ピン１６より短く、かつ信号接続ピンと同等以上である。
【００４５】
上述したように、本実施形態の光回線終端装置２００は、ＭＳＡコネクタ２１０を介してノード装置３０の供給回線と電源回線との２系統から電源を受電する。すなわち、電源供給部２７は、ピン１６を介して電源回線から電源を光回線終端装置２００の各部に供給する。電力監視部２６は、ピン１６よりパターン長が短いピン１５を介して供給回線の電源を監視し、その電源の切断を検知する。これにより、電力監視部２６は、電源供給部２７に供給される電源が切断される前に、電源の切断を検知することができる。これより、光回線終端装置２００は、ＭＳＡコネクタ２１がＭＳＡポート３００に対して半差しや抜去された場合、電力監視部２６で電源断を検知してから一定期間内に電源が切断されたことをＯＬＴ１０に通知することができる。これにより、第１の実施形態と同様の効果を有する。
【００４６】
以上述べた実施形態は全て本発明の実施形態を例示的に示すものであって限定的に示すものではなく、本発明は他の種々の変形態様および変更態様で実施することができる。
【００４７】
上述の実施形態では、ピン１５のパターン長をピン１６よりも短くしたが、これに限定されない。すなわち、ＭＳＡコネクタ２１がＭＳＡポート３００に対して半差し又は抜去時された場合に、ピン１５と接続端子３６との接続がピン１６と接続端子３５との接続よりも早く切断されればよい。よって、例えば、ピン１５のパターンに切り込みを入れてもよいし、接続端子３６のパターン長を接続端子３５より短くしてもよい。
また、上述した実施形態において、供給回線からの電圧を電源断の検知用として使用したが、これに限定されない。例えば、供給回線からの電圧を電源として光回線終端装置２０の各部に供給してもよい。
【００４８】
また、上述した実施形態において、ＭＳＡコネクタがＭＳＡポートに挿入されることで、ピン１６と電源回線とが接続し、ピン１５と供給回線とが接続するが、これに限定されない。例えば、ピン１６と供給回線とが接続され、ピン１５と電源回線とが接続されるようにしてもよい。
【００４９】
また、上述した実施形態において、ピン１５のパターン長をピン１６よりも短くしたが、これに限定されない。例えば、ピン１６のパターン長をピン１５よりも短く（短ピン化）してもよい。しかし、その場合、ピン１５には電源供給部２７が接続される。また、ピン１６には、電力監視部２６が接続される。すなわち、電力監視部２６に接続される接続端子は、電源供給部２７に接続される接続端子よりもパターン長が短ければよい。
【符号の説明】
【００５０】
１  ＰＯＮシステム
１０  ＯＬＴ
２０  ＯＮＵ
３０  ノード装置
４０  光スプリッタ
５０、６０  光ファイバ
２１  ＭＳＡコネクタ
２２  光トランシーバ部
２３  通信処理部
２４  シリアル／パラレル変換部
２５  記憶部
２６  電力監視部
２７  電源供給部
３１  電力変換部
３２  通信処理部
【図１】
0005906293.tif 000002
【図２】
0005906293.tif 000003
【図３】
0005906293.tif 000004
【図４】
0005906293.tif 000005
【図５】
0005906293.tif 000006
【図６】
0005906293.tif 000007
【図７】
0005906293.tif 000008
【図８】
0005906293.tif 000009
【図９】
0005906293.tif 000010